(57)【要約】【課題】裏面収納部に収納された収納物がキッチン台と前板との間に挟まれることを防止できる引出し収納を提供する。【解決手段】キッチン台の引出し収納用空部に出し入れ可能に設けられた引出し収納において、奥行き方向の手前側（前端部）に設けられた引出し収納前板（前板）２１と、引出し収納前板２１の裏面に沿って設けられた裏面収納部２３と、裏面収納部２３の側方に設けられて裏面収納部２３よりも上側に延びる第１立ち上がり部（立ち上がり部）２４および第２立ち上がり部（立ち上がり部）２５と、を有する。【選択図】図４
2018094315.tif 000002
【特許請求の範囲】
【請求項１】
キッチン台の引出し収納用空部に出し入れ可能に設けられた引出し収納において、
前端部に設けられた前板と、
前記前板の裏面に沿って設けられた裏面収納部と、
前記裏面収納部の側方に設けられて前記裏面収納部よりも上側に延びる立ち上がり部と、を有することを特徴とする引出し収納。
【請求項２】
前記前板、前記裏面収納部、前記立ち上がり部、および前記裏面収納部の後側に設けられた収納部を備え、前記引出し収納用空部に出し入れ可能に設けられた第１引出し部と、
前記収納部の上側かつ前記裏面収納部の後側に設けられ、前記第１引出し部とは別で前記引出し収納用空部に出し入れ可能に構成された第２引出し部と、を有し、
前記第２引出し部は、側部に上側に延びる側壁部を有し、
前記第１引出し部と前記第２引出し部とが近接すると、前記立ち上がり部と、前記側壁部とが連続するように配置される請求項１に記載の引出し収納。
【請求項３】
前記第１引出し部と前記第２引出し部とが近接すると、前記立ち上がり部における収納物が収納される側の面と、前記側壁部における収納物が収納される側の面とが連続するように配置される請求項２に記載の引出し収納。
【請求項４】
前記第１引出し部と前記第２引出し部とを連結させる連結機構を有し、
前記連結機構は、前記立ち上がり部の内部に設けられている請求項２または３に記載の引出し収納。
【請求項５】
前記立ち上がり部は、前記裏面収納部の両側方に設けられている請求項１乃至４のいずれか一項に記載の引出し収納。
【発明の詳細な説明】
【技術分野】
【０００１】
本発明は、引出し収納に関する。
【背景技術】
【０００２】
従来、キッチン台に設けられる引出し収納として、前側（キッチン台に対して使用者が立つ側）に設けられた前板の後面に沿って例えば、菜箸やレードルなどを収納可能な裏面収納部が設けられた引出し収納が知られている（例えば、特許文献１参照）。裏面収納部は、菜箸やレードルなどの長尺の収納物を上部側が露出するように立てて収納可能に構成されていることがある。また、裏面収納部の上端部は、引出し収納の側壁の上端部よりも高い位置に配置され、前板の上端部よりも低い位置に配置されている。
【先行技術文献】
【特許文献】
【０００３】
【特許文献１】特許第５８８５５１９号公報
【発明の概要】
【発明が解決しようとする課題】
【０００４】
しかしながら、引出し収納がキッチン台から引き出された状態で裏面収納部に収納された収納物が側方に傾くと、収納物の上部側が引出し収納から側方へはみ出してしまうことがある。この状態で引出し収納をキッチン台に向かって押して収納しようとすると、裏面収納部に収納されて引出し収納から側方にはみ出した収納物の上部側がキッチン台と前板との間に挟まれてしまう虞がある。
【０００５】
そこで、本発明は、裏面収納部に収納された収納物がキッチン台と前板との間に挟まれることを防止できる引出し収納を提供することを目的とする。
【課題を解決するための手段】
【０００６】
上記目的を達成するため、本発明に係る引出し収納は、キッチン台の引出し収納用空部に出し入れ可能に設けられた引出し収納において、前端部に設けられた前板と、前記前板の裏面に沿って設けられた裏面収納部と、前記裏面収納部の側方に設けられて前記裏面収納部よりも上側に延びる立ち上がり部と、を有することを特徴とする。
【０００７】
本発明では、裏面収納部よりも上方に延びる立ち上がり部を有することにより、裏面収納部に収納された収納物が側方に傾いて、収納物の上部側が引出し収納から側方にはみ出してしまうことを防止できる。このため、裏面収納部に収納された収納物が引出し収納から側方にはみ出すことによってキッチン台と前板との間に挟まれることを防止できる。
また、立ち上がり部が設けられることによって、裏面収納部を深い形状としなくても裏面収納部に収納された収納物が側方に傾くことがない。このため、裏面収納部を深い形状とする場合と比べて、裏面収納部の製造が容易であるとともに、裏面収納部の清掃を容易に行うことができる。
本発明では、キッチン台に対してキッチン台で作業する使用者がいる側を前側または奥行き方向の手前側とし、反対側を後側または奥行き方向の奥側としている。
【０００８】
また、本発明に係る引出し収納では、前記前板、前記裏面収納部、前記立ち上がり部、および前記裏面収納部の後側に設けられた収納部を備え、前記引出し収納用空部に出し入れ可能に設けられた第１引出し部と、前記収納部の上側かつ前記裏面収納部の後側に設けられ、前記第１引出し部とは別で前記引出し収納用空部に出し入れ可能に構成された第２引出し部と、を有し、前記第２引出し部は、側部に上側に延びる側壁部を有し、前記第１引出し部と前記第２引出し部とが近接すると、前記立ち上がり部と、前記側壁部とが連続するように配置されてもよい。
第２引出し部に側壁部が設けられていることにより、第２引出し部に収容された収納物が側方にはみ出してしまうことを防止できる。
第１引出し部と第２引出し部とが近接すると、立ち上がり部と側壁部とが連続することにより、意匠性を向上させることができる。なお、立ち上がり部と側壁部とが連続している状態には、立ち上がり部と側壁部とが互いに接触して配置されている状態も、立ち上がり部と側壁部とが互いの間に隙間を介して近接して配置されている状態も含むものとする。
【０００９】
また、本発明に係る引出し収納では、前記第１引出し部と前記第２引出し部とが近接すると、前記立ち上がり部における収納物が収納される側の面と、前記側壁部における収納物が収納される側の面とが連続するように配置されてもよい。
立ち上がり部および側壁部それぞれの収納物が収納される側の面が連続することにより、意匠性を更に向上させることができるとともに、これらの面の清掃を連続して容易に行うことができる。なお、立ち上がり部における収納物が収納される側の面と側壁部における収納物が収納される側の面とが連続している状態には、立ち上がり部における収納物が収納される側の面と側壁部における収納物が収納される側の面とが互いに近接する側の縁部を接触させて配置されている状態も、立ち上がり部における収納物が収納される側の面と側壁部における収納物が収納される側の面とが互いに近接する側の縁部の間に隙間を介して近接して配置されている状態も含むものとする。
【００１０】
また、本発明に係る引出し収納では、前記第１引出し部と前記第２引出し部とを連結させる連結機構を有し、前記連結機構は、前記立ち上がり部の内部に設けられていてもよい。
このような構成とすることにより、連結機構の露出が抑えられるため、意匠性を向上させることができる。
【００１１】
また、本発明に係る引出し収納では、前記立ち上がり部は、前記裏面収納部の両側方に設けられていてもよい。
このような構成とすることにより、裏面収納部に収納された収納物が両側方それぞれに傾いて、キッチン台と前板との間に挟まれることを防止できる。
【発明の効果】
【００１２】
本発明によれば、裏面収納部に収納された収納物がキッチン台と前板との間に挟まれることを防止できる。
【図面の簡単な説明】
【００１３】
【図１】本発明の実施形態による引出し収納が設けられたキッチン台の一例を示す図である。
【図２】本実施形態による引出し収納の平面図である。
【図３】本実施形態による引出し収納の斜視図である。
【図４】第１引出し部の斜視図である。
【図５】裏面収納部を省略した第１引出し部の斜視図である。
【図６】第１立ち上がり部および第１連結部の斜視図である。
【図７】第１立ち上がり部および第１連結部の分解斜視図である。
【図８】第１立ち上がり部および第１連結部の幅方向の他方側から見た図である。
【図９】第１立ち上がり部および第１連結部の奥行方向の奥側から見た図である。
【図１０】図８のＡ−Ａ線断面図である。
【図１１】第１収納ボックスの斜視図である。
【図１２】第４収納ボックスの斜視図である。
【図１３】第２引出し部の斜視図である。
【図１４】第１引出し部と第２引出し部とが離れた状態の引出し収納の平面図である。
【図１５】図９のＢ−Ｂ線断面図である。
【発明を実施するための形態】
【００１４】
以下、本発明の実施形態による引出し収納について、図１乃至図１５に基づいて説明する。
図１に示すように、本実施形態による引出し収納１は、キッチン台１１のシンク１２の下側に配置された引出し収納用空部１３に設けられている。
キッチン台１１を使用する使用者（不図示）とキッチン台１１とを結ぶ方向を奥行き方向とし、奥行き方向のうちのキッチン台１１側に対する使用者側を手前側とし、使用者側に対するキッチン台１１側を奥側とする。また、奥行き方向に直交する水平方向を幅方向とする。キッチン台１１は、幅方向に延びる長尺に形成されている。
引出し収納用空部１３の上側、下側、奥側および幅方向の両側にはそれぞれ板材が設けられている。引出し収納用空部１３は、奥行き方向の手前側に開口している。
【００１５】
図２および図３に示すように、引出し収納１は、引出し収納用空部１３（図２参照）に出し入れ可能な第１引出し部２と、第１引出し部２の収納部２８の上側かつ裏面収納部２３の奥行方向の奥側に設けられ第１引出し部２とは別に引出し収納用空部１３に出し入れ可能な引出し収納用空部１３に出し入れ可能な第２引出し部３と、第１引出し部２を奥行き方向に移動可能に支持する一対の第１レール４，４と、第２引出し部３を奥行き方向に移動可能に支持する一対の第２レール５，５と、第１引出し部２と第２引出し部３とを連結させる連結機構６と、を有している。
【００１６】
第１引出し部２および第２引出し部３は、それぞれ上側から収納物（不図示）を収納可能に構成されている。
一対の第１レール４，４および一対の第２レール５，５は、引出し収納用空部１３の幅方向の両側にそれぞれ設けられた側板１３１、１３２（図２参照）に設けられている。
【００１７】
図４に示すように、第１引出し部２は、奥行き方向の手前側に設けられた引出し収納前板２１と、引出し収納前板２１とともに収納スペースを形成する収納スペース形成部２２と、収納スペース形成部２２の内部に引出し収納前板２１の裏面（奥行方向の奥側の面）に沿って設けられた裏面収納部２３と、を有している。収納スペース形成部２２の内部のうちの裏面収納部２３よりも奥行き方向の奥側の部分を収納部２８とする。
【００１８】
引出し収納前板２１は、平板状に形成され板面が奥行き方向を向くように配置されている。引出し収納前板２１は、引出し収納用空部１３（図１参照）の開口を奥行き方向の手前側から閉塞可能な大きさに形成されている。引出し収納前板２１は、第１引出し部２が引出し収納用空部１３に収納されるとキッチン台１１（図１参照）の奥行方向の手前側の面に沿って配置され、引出し収納用空部１３の開口を奥行き方向の手前側から閉塞するように構成されている。
【００１９】
図５に示すように、引出し収納前板２１は、奥行き方向の奥側の面（裏面）に、裏面収納部２３（図４参照）の収納ボックス２３１〜２３４（後述する）を支持する支持レール２１１と、後述する第１立ち上がり部２４および第２立ち上がり部２５を支持する２つの支持ピン２１２，２１２と、が設けられている。
支持レール２１１は、幅方向に延在していて、引出し収納前板２１の奥行方向の奥側の面における高さ方向の中間部に固定されている。支持レール２１１は、下部側２１１ａが引出し収納前板２１に固定され、上部側２１１ｂが引出し収納前板２１の奥行方向の奥側の面と離間している。
支持レール２１１の上部側２１１ｂと引出し収納前板２１の奥行方向の奥側の面との間には、後述する収納ボックス２３１〜２３４の折り返し部２３１ｇ，２３４ｇを挿入可能に構成されている。支持レール２１１の上部側２１１ｂと引出し収納前板２１の奥行方向の奥側の面との間に、収納ボックス２３１〜２３４の折り返し部２３１ｇ，２３４ｇが挿入されることで、収納ボックス２３１〜２３４が支持レール２１１に引っ掛けられて支持された状態となる。
【００２０】
支持ピン２１２，２１２は、支持レール２１１よりも上側において、引出し収納前板２１の幅方向の両端部近傍に固定されている。
支持ピン２１２，２１２は、一方の端部が引出し収納前板２１に固定される脚部と、脚部の他方の端部に固定され脚部より拡径した円板状の頭部とを有している。支持ピン２１２、２１２の頭部と引出し収納前板２１の奥行方向の奥側の面とは離間している。
支持ピン２１２，２１２それぞれの脚部は、後述する第１立ち上がり部２４および第２立ち上がり部２５の前板部２４５（図７参照）の溝部に挿入可能に構成されている。また、支持ピン２１２、２１２それぞれの頭部と引出し収納前板２１の奥行方向の奥側の面との間には、第１立ち上がり部２４および第２立ち上がり部２５の前板部２４５が配置されるように構成されている。
【００２１】
図４および図５に示すように、収納スペース形成部２２は、略長方形状となる平板状に形成され板面が上下方向を向くように配置された底板部２２１と、底板部２２１の幅方向の一方側の縁部から上方に延びる第１側壁部２２２と、底板部２２１の幅方向の他方側の縁部から上方に延びる第２側壁部２２３と、底板部２２１の奥行方向の奥側の縁部から上側に延びる後壁部２２４と、第１側壁部２２２の上縁部に沿って奥行き方向に延びる第１バー２２５と、第２側壁部２２３の上縁部に沿って奥行き方向に延びる第２バー２２６と、第１側壁部２２２の上部から上方に延びる壁状の第１立ち上がり部２４と、第２側壁部２２３の上部から上方に延びる壁状の第２立ち上がり部２５と、第１側壁部２２２の下端部に設けられて一対の第１レール４，４のうちの幅方向の一方側の第１レール４に沿って走行可能な第１走行部２６と、第２側壁部２２３の下端部に設けられて一対の第１レール４，４のうちの幅方向の他方側の第１レール４に沿って走行可能な第２走行部２７と、を有している。
【００２２】
底板部２２１、第１側壁部２２２および第２側壁部２２３は、それぞれ奥行き方向の寸法が同じ寸法に形成され、奥行方向の手前側の縁部が引出し収納前板２１と連結され、奥行き方向の奥側の縁部が後壁部２２４と連結されている。第１側壁部２２２、第２側壁部２２３および後壁部２２４それぞれの上縁部は、略同じ高さに配置され、引出し収納前板２１の上縁部よりも下側に配置されている。
【００２３】
第１立ち上がり部２４は、第１側壁部２２２よりも奥行き方向の寸法が小さく、第１側壁部２２２の奥行方向の手前側の端部近傍の上部に配置されている。第１立ち上がり部２４の上端部は、引出し収納前板２１の上端部よりも下側に配置されている。
図６乃至図８に示すように、第１立ち上がり部２４は、内部に中空部２４１が形成されていて、中空部２４１の上側に配置される上板部２４２と、上板部２４２の幅方向の一方側の縁部から下側に延びる板状の外板部２４３と、上板部２４２の幅方向の他方側の縁部から下側に延びる板状の内板部２４４と、上板部２４２の奥行方向の手前側の縁部から下側に延びる板状の前板部２４５と、上板部２４２の奥行方向の奥側の縁部全体から下側に延びる後板部２４６と、上板部２４２の奥行方向の中間部から下側に延びる中板部２４７と、を有している。
【００２４】
図６乃至図１０に示すように、上板部２４２は、板面が長尺の長方形状に形成され、長手方向が奥行き方向となる向きに配置されている。本実施形態では、上板部２４２の板面は、幅方向の一方側から他方側に向かって漸次下側に向かうように緩やかに傾斜している。
外板部２４３は、上部側が上板部２４２の幅方向の一方側の縁部から下側に向かって漸次幅方向の一方側に向かうように緩やかに傾斜し、下部側が略鉛直方向の下側に向かって延びている。
【００２５】
図６乃至図８に示すように、内板部２４４は、上部側が上板部２４２の幅方向の他方側の縁部から下側に向かって漸次幅方向の他方側に向かうように傾斜し、下部側が略鉛直方向の下側に向かって延びている。
内板部２４４の下部側は、奥行き方向の一方側および下部側に開口する切欠き部２４４ａが形成され、幅方向から見た形状が略Ｌ字形となっている。内板部２４４の幅方向他方側の面２４４ｂの幅方向の他方側に裏面収納部２３が配置される。
【００２６】
図７および図１０に示すように、前板部２４５は、上板部２４２、外板部２４３および内板部２４４の奥行方向の手前側の縁部と連続している。前板部２４５には、下部側に開口する切欠き部２４５ａが形成されている。切欠き部２４５ａの上端部は、前板部２４５の上端部よりもやや下側に配置されている。切欠き部２４５ａの上部側は、下部側よりも幅方向の寸法が小さく形成されて上下方向に延びる溝状に形成されている。この切欠き部２４５ａの上部側の溝状の部分を溝部２４５ｂとする。溝部２４５ｂには、引出し収納前板２１（図５参照）に設けられた支持ピン２１２の脚部が入り込むことが可能に構成されている。
【００２７】
前板部２４５は、切欠き部２４５ａよりも幅方向の他方側の部分２４５ｃが、切欠き部２４５ａよりも幅方向の一方側の部分２４５ｄよりも高さ寸法が短く、下端部が上側に配置されている。
前板部２４５の切欠き部２４５ａよりも幅方向の他方側の部分２４５ｃは、下端部近傍が、引出し収納前板２１に設けられた支持レール２１１の上部側と引出し収納前板２１との間に上側から挿入可能に構成されている。
前板部２４５の切欠き部２４５ａよりも幅方向の一方側の部分２４５ｄは、下端部が外板部２４３の下端部よりもやや上側に配置されている。このため、第１立ち上がり部２４には、前板部２４５の切欠き部２４５ａよりも幅方向の一方側の部分２４５ｄの下端面と、外板部２４３の幅方向の他方側の面とがなす角部２４８が形成されている。
【００２８】
図７および図９に示すように、後板部２４６は、上板部２４２、外板部２４３および内板部２４４の奥行方向の奥側の縁部と連続している。後板部２４６には、高さ方向の中間部に奥行き方向に貫通する第１孔部２４６ａが形成され、下端部に下側に開口する第１切欠き部２４６ｂが形成されている。
図６に示すように、第１孔部２４６ａには、連結機構６の第１連結部６１が挿通されるように構成されている。後板部２４６は、第１孔部２４６ａが形成されている部分が他の部分よりも肉厚に形成されている。
第１切欠き部２４６ｂは、縁部が上側に凸となる略円弧状に形成されている。第１切欠き部２４６ｂは、図５に示す第１引出し部２の第１側壁部２２２の上部に設けられた第１バー２２５に上側から嵌め込み可能に構成されている。
【００２９】
図６および図７に示すように、中板部２４７は、板面が奥行き方向を向くように配置されていて、上縁部が上板部２４２の下側に接続され、幅方向の一方側の縁部が外板部２４３に幅方向の一方側に接続され、幅方向の他方側の縁部が内板部２４４の幅方向の一方側に接続されている。中板部２４７には、高さ方向の中間部に奥行き方向に貫通する第２孔部２４７ａおよび第３孔部２４７ｂが形成され、下端部に下側に開口する第２切欠き部２４７ｃが形成されている。
第２孔部２４７ａおよび第３孔部２４７ｂは、それぞれ貫通方向から見た形状が略半円状に形成されている。第２孔部２４７ａと第３孔部２４７ｂとは、互いに湾曲する縁部側が離間するように幅方向に間隔をあけて配置されている。第２孔部２４７ａが第３孔部２４７ｂよりも幅方向の一方側に配置されている。第２孔部２４７ａおよび第３孔部２４７ｂには、それぞれ連結機構６の第１連結部６１の円弧板部６３３が挿通可能に構成されている。
第２切欠き部２４７ｃは、縁部が上側に凸となる略円弧状に形成されている。第２切欠き部２４７ｃは、図５に示す第１引出し部２の第１側壁部２２２の上部に設けられた第１バー２２５に上側から嵌め込み可能に構成されている。
【００３０】
このような第１立ち上がり部２４は、前板部２４５の溝部２４５ｂには、支持ピン２１２の脚部が下側から挿し込まれ、前板部２４５が引出し収納前板２１に設けられた支持ピン２１２の頭部と引出し収納前板２１との間に配置されるようにして引出し収納前板２１に支持される。
前板部２４５の切欠き部２４５ａよりも幅方向の他方側の部分２４５ｃは、引出し収納前板２１に設けられた支持レール２１１の上部側と引出し収納前板２１との間に上側から挿入されて、支持レール２１１に係止される。後板部２４６の第１切欠き部２４６ｂ、および中板部２４７の第２切欠き部２４７ｃの内部には、第１バー２２５の上部側が配置される。外板部２４３の下端部近傍は、第１バー２２５の幅方向の一方側に配置される。前板部２４５の切欠き部２４５ａよりも幅方向の一方側の部分２４５ｄの下端面と、外板部２４３の幅方向の他方側の面とがなす角部２４８の内側に第１バー２２５が配置されている。
このようにして第１立ち上がり部２４は、第１側壁部２２２の上部に立ち上がった状態に配置され、第１切欠き部２４６ｂ、第２切欠き部２４７ｃ、支持レール２１１および支持ピン２１２によって位置が固定される。
【００３１】
図５に示すように、第２立ち上がり部２５は、第２側壁部２２３よりも奥行き方向の寸法が小さく、第２側壁部２２３の奥行方向の手前側の端部近傍の上部に配置されている。第２立ち上がり部２５の上端部は、引出し収納前板２１の上端部よりも下側に配置されている。
第２立ち上がり部２５は、図６乃至図１０に示す第１立ち上がり部２４を幅方向に対称にした形態の、前板部２４５と中板部２４７との間の奥行方向の寸法を大きくした形状に形成されている。このため、第２立ち上がり部２５の詳細な説明は省略する。なお、第２立ち上がり部２５の後板部２４６と中板部２４７との間の奥行方向の寸法は、第１立ち上がり部２４の後板部２４６と中板部２４７との間の奥行方向の寸法と略同じ大きさに形成されている。
【００３２】
図４に示すように、裏面収納部２３は、引出し収納前板２１の裏面（奥行き方向奥側の面）に沿って配列された４つの収納ボックス２３１〜２３４を有している。これらのボックス２３１〜２３４は、収納スペース形成部２２の内部において幅方向全体にわたって配列されている。４つの収納ボックス２３１〜２３４を幅方向の一方側から他方側に向かって第１〜第４収納ボックス２３１〜２３４とする。
第１収納ボックス２３１は、第１側壁部２２２の幅方向の他方側の面に沿って配置され、第４収納ボックス２３４は、第２側壁部２２３の幅方向の一方側の面に沿って配置されている。
【００３３】
図１１に示すように、第１収納ボックス２３１は、上側に開口する略直方体の箱状に形成されている。第１収納ボックス２３１は、幅方向に長い長方形状の底板部２３１ａと、底板部２３１ａの奥行方向の手前側の縁部から上側に延びる前板部２３１ｂと、底板部２３１ａの奥行方向の奥側の縁部から上側に延びる後板部２３１ｃと、底板部２３１ａの幅方向の一方側の縁部から上側にのびる第１側板部２３１ｄと、底板部２３１ａの幅方向の他方側の縁部から上側に延びる第２側板部２３１ｅと、底板部２３１ａの下面から下側に突出するリブ２３１ｆと、を有している。
【００３４】
前板部２３１ｂは、板面が奥行き方向を向き、奥行き方向手前側の面が引出し収納前板２１と対向するように配置される。前板部２３１ｂの上端部には、奥行き方向の手前側に折り返された形状の折り返し部２３１ｇが形成されている。折り返し部２３１ｇは、図５に示す引出し収納前板２１と支持レール２１１の上部側との間に挿入可能に構成され、引出し収納前板２１の支持レール２１１の上部側に上側から引っ掛けることができるように構成されている。
第１収納ボックス２３１は、折り返し部２３１ｇが引出し収納前板２１の支持レール２１１の上部側に上側から引っ掛けられると、底板部２３１ａの下側のリブ２３１ｆが収納スペース形成部２２の底板部２２１の上面と当接した状態で収納スペース形成部２２の底板部２２１の上に載置される。第１収納ボックス２３１は、引出し収納前板２１の支持レール２１１に支持されているため、第１引出し部２が移動したり、第１収納ボックス２３１に収納物が出し入れされたりした際に倒れることが防止される。
【００３５】
図４に示すように、第１収納ボックス２３１の第１側板部２３１ｄの幅方向の一方側の側方に第１立ち上がり部２４が配置されている。第１収納ボックス２３１の第１側板部２３１ｄと第１立ち上がり部２４とは奥行き方向に略同じ長さ寸法に形成されている。第１立ち上がり部２４は、第１収納ボックス２３１の第１側板部２３１ｄの上端部よりも上側に延びている。
【００３６】
第２収納ボックス２３２は、第１収納ボックス２３１と同じ形状に形成されている。
第３収納ボックス２３３は、第１収納ボックス２３１と略同じ形状の収納ボックスに、包丁やナイフなどを挿し込み可能な孔部２３３ａが複数形成された包丁支持部材２３３ｂが設けられている。
【００３７】
図１２に示すように、第４収納ボックス２３４は、上側に開口する箱状に形成されている。第４収納ボックス２３４は、底板部２３４ａと、底板部２３４ａの奥行方向の手前側の縁部から上側に延びる前板部２３４ｂと、底板部２３４ａの奥行方向の奥側の縁部から上側に延びる後板部２３４ｃと、底板部２３４ａの幅方向の一方側の縁部から上側に延びる第１側板部２３４ｄと、底板部２３４ａの幅方向の他方側の縁部から上側に延びる第２側板部２３４ｅと、底板部２３４ａの下面から下側に突出するリブ２３４ｆと、を有している。
図２に示すように、第４収納ボックス２３４は、第１収納ボックス２３１に比べて幅方向に長く形成されている。また、第４収納ボックス２３４は、幅方向の他方側が幅方向の一方側よりも奥行き寸法の奥側に突出している。第４収納ボックス２３４の幅方向の一方側の奥行き寸法は、第１収納ボックスの奥行き寸法と同じ寸法に形成されている。
【００３８】
底板部２３４ａの奥行方向の奥側の縁部（後縁部）には、幅方向の中間部に幅方向の一方側から他方側に向かって漸次奥行き方向の奥側に向かう斜め方向に延びる斜め後縁部２３４ｈと、斜め後縁部２３４ｈの幅方向の一方側の端部から幅方向の一方側に略直線状に延びる第１後縁部２３４ｉと、斜め後縁部２３４ｈの幅方向の他方側の端部から幅方向の他方側に略直線状に延びる第２後縁部２３４ｊと、が形成されている。
底板部２３４ａの奥行き方向の手前側の縁部は幅方向に略直線状に延びていて、底板部２３４ａの幅方向の両側の縁部は、奥行き方向に略直線状に延びている。
【００３９】
図１２に戻り、前板部２３４ｂは、板面が奥行き方向を向き、奥行き方向の手前側の面が引出し収納前板２１に対向するように配置される。前板部２３４ｂの上端部には、奥行き方向の手前側に折り返された形状の折り返し部２３４ｇが形成されている。折り返し部２３４ｇは、図５に示す引出し収納前板２１と支持レール２１１の上部側との間に挿入可能に構成され、引出し収納前板２１の支持レール２１１の上部側に上側から引っ掛けることができるように構成されている。
第４収納ボックス２３４は、折り返し部２３４ｇが引出し収納前板２１の支持レール２１１の上部側に上側から引っ掛けられると、底板部２３４ａの下側のリブ２３４ｆが収納スペース形成部２２の底板部２２１の上面と当接した状態で収納スペース形成部２２の底板部２２１の上に載置される。第４収納ボックス２３４は、引出し収納前板２１の支持レール２１１に支持されているため、第１引出し部２が移動したり、第４収納ボックス２３４に収納物が出し入れされたりした際に倒れることが防止される。
【００４０】
後板部２３４ｃは、底板部２３４ａの斜め後縁部２３４ｈ（図２参照）から上側に延びる斜め後板部２３４ｋと、底板部２３４ａの第１後縁部２３４ｉ（図２参照）から上側に延びる第１後板部２３４ｌと、底板部２３４ａの第２後縁部２３４ｊ（図２参照）から上側に延びる第２後板部２３４ｍと、を有している。
【００４１】
第４収納ボックス２３４の幅方向の他方側の収納部分は、第４収納ボックス２３４の幅方向一方側の収納部分および、第１〜第３収納ボックス２３１〜２３３の収納部分よりも奥行き方向に長く形成されているため、第４収納ボックス２３４の幅方向一方側の収納部分や、第１〜第３収納ボックス２３１〜２３３よりも大きい収納物を収納することができる。例えば、１〜第３収納ボックス２３１〜２３３の収納部分および第４収納ボックス２３４の幅方向一方側の収納部分の奥行き寸法が５０ｍｍとし、第４収納ボックス２３４の幅方向の他方側の収納部分の奥行き寸法を９０ｍｍ程度とすると、第１、第２収納ボックス２３１、２３２の収納部分および第４収納ボックス２３４の幅方向一方側の収納部分には、菜箸やレードル、箱入りのラップやアルミホイルなどを収納しやすく、第４収納ボックス２３４の幅方向の他方側の収納部分には、食用油のボトルなどを収納しやすい。
【００４２】
第４収納ボックス２３４の第２側板部２３４ｅの幅方向の他方側の側方に第２立ち上がり部２５が配置されている。第４収納ボックス２３４の第２側板部２３４ｅと第２立ち上がり部２５とは奥行き方向に略同じ長さ寸法に形成されている。第２立ち上がり部２５は、第４収納ボックス２３４の第２側板部２３４ｅの上端部よりも上側に延びている。
【００４３】
図２および図１３に示すように、第２引出し部３は、板面が略水平面となるように配置され収納物が載置される底板部３１と、底板部３１の奥行方向の手前側の縁部全体から上側に突出する前柵部３２と、底板部３１の奥行方向の奥側の縁部全体から上側に突出する後柵部３３と、底板部３１の幅方向の一方側の縁部から上側に突出する第１側壁部３４と、底板部３１の幅方向の一方側の縁部から上側に突出する第２側壁部３５と、第１側壁部３４の下端部に設けられて一対の第２レール５，５のうちの幅方向の一方側の第２レール５に沿って走行可能な第１走行部３６と、第２側壁部３５の下端部に設けられて一対の第２レール５，５のうちの幅方向の他方側の第２レール５に沿って走行可能な第２走行部３７と、を有している。
【００４４】
底板部３１の奥行方向の手前側の縁部（前縁部）には、幅方向の中間部に幅方向の一方側から他方側に向かって漸次奥行き方向の奥側に向かう斜め方向に延びる斜め前縁部３１ａと、斜め前縁部３１ａの幅方向の一方側の端部から幅方向の一方側に略直線状に延びる第１前縁部３１ｂと、斜め前縁部３１ａの幅方向の他方側の端部から幅方向の他方側に略直線状に延びる第２前縁部３１ｃと、が形成されている。
【００４５】
底板部３１の奥行方向の奥側の縁部（後縁部）には、幅方向の中間部に奥行き方向の手前側に凹む凹部３１ｄが形成されている。凹部３１ｄには、第２引出し部３が奥行き方向の奥側に移動して引出し収納用空部１３に収容された際に、シンク１２（図１参照）の給排水管が配置されるように構成されている。
また、底板部３１の後縁部には、幅方向の一方側の端部に、奥行き方向の手前側に凹む切欠き部３１ｅが形成されている。底板部３１は、切欠き部３１ｅが形成されていることにより、幅方向の一方側の縁部の奥行方向の長さと、幅方向の他方側の縁部の奥行方向の長さとが同じ長さに形成されている。
底板部３１の幅方向の両側の縁部は、奥行き方向に略直線状に延びている。
【００４６】
図１３に示すように、前柵部３２は、底板部３１の前縁部に沿って間隔をあけて複数配置され底板部３１から上側にのびる縦柵部材３２１，３２１…と、高さ方向に間隔をあけて複数配置され底板部３１の前縁部に沿って延びて縦柵部材３２１，３２１…に固定される横柵部材３２２，３２２と、を有している。横柵部材３２２，３２２…の幅方向の両端部は、第１側壁部３４および第２側壁部３５それぞれの第１支持板部３４７，３４７に支持されている。
図２および図１３に示すように、前柵部３２は、底板部３１の斜め前縁部３１ａの上側に配置された斜め前柵部３２ａと、底板部３１の第１前縁部３１ｂの上側に配置された第１前柵部３２ｂと、底板部３１の第２前縁部３１ｃの上側に配置された第２前柵部３２ｃと、を有している。
【００４７】
図１３に示すように、後柵部３３は、底板部３１の後縁部に沿って間隔をあけて複数配置され底板部３１から上側にのびる縦柵部材３３１，３３１…と、高さ方向に間隔をあけて複数配置され底板部３１の前縁部に沿って延びて縦柵部材３３１，３３１…に固定される横柵部材３３２，３３２と、を有している。横柵部材３３２，３３２…の幅方向の両端部は、第１側壁部３４および第２側壁部３５それぞれの第２支持板部３４８，３４８に支持されている。
後柵部３３の横柵部材３３２，３３２…は、前柵部３２の横柵部材３２２，３２２…と比べて間隔が狭く数が少なく設定されている。このため、後柵部３３は、前柵部３２よりも高く形成されている。
【００４８】
第１側壁部３４は、内部に中空部３４１が形成されていて、中空部３４１の上側に配置される上板部３４２と、上板部３４２の幅方向の一方側の縁部から下側に延びる板状の外板部３４３と、上板部３４２の幅方向の他方側の縁部から下側に延びる板状の内板部３４４と、上板部３４２の奥行方向の手前側の縁部から下側に延びる板状の前板部３４５と、上板部３４２の奥行方向の奥側の縁部全体から下側に延びる後板部３４６と、を有している。外板部３４３、内板部３４４、前板部３４５および後板部３４６は、それぞれ略同じ高さ寸法に形成されている。なお、中空部３４１の内部には、補強のためのリブなどが適宜設けられていてもよい。
【００４９】
上板部３４２は、板面が長尺の長方形状に形成され、長手方向が奥行き方向となる向きに配置されている。本実施形態では、上板部３４２の板面は、幅方向の一方側から他方側に向かって漸次下側に向かうように緩やかに傾斜している。
外板部３４３は、上部側が上板部３４２の幅方向の一方側の縁部から下側に向かって漸次幅方向の一方側に向かうように緩やかに傾斜し、下部側が略鉛直方向の下側に向かって延びている。
内板部３４４は、上部側が上板部３４２の幅方向の他方側の縁部から下側に向かって漸次幅方向の他方側に向かうように傾斜し、下部側が略鉛直方向の下側に向かって延びている。内板部３４４の幅方向他方側の面３４４ｂの幅方向の他方側に第２引出し部３の収納物が収納される。
【００５０】
前板部３４５は、上板部３４２、外板部３４３および内板部３４４の奥行方向の手前側の縁部と連続している。前板部３４５は、連結機構６の磁石６４（図８参照）に吸着可能な材料で形成されている。
前板部３４５の幅方向の他方側には、前柵部３２の横柵部材３２２，３２２…を支持する第１支持板部３４７が前板部３４５と一体に形成されている。
後板部３４６は、上板部３４２、外板部３４３および内板部３４４の奥行方向の奥側の縁部と連続している。
後板部３４６の幅方向の他方側には、後柵部３３の横柵部材３３２，３３２…を支持する第２支持板部３４８が後板部３４６と一体に形成されている。
【００５１】
第２側壁部３５は、第１側壁部３４を幅方向に対称とした形態と同様に形成されている。このため、第２側壁部３５の詳細な説明を省略する。
第１側壁部３４は、底板部３１の幅方向の一方側の縁部に沿って設けられ、第２側壁部３５は、底板部３１の幅方向の他方側の縁部に沿って設けられている。このため、第１側壁部３４は、第２側壁部３５よりも奥行き方向の手前側に配置されている。また、第１側壁部３４の下端部に設けられた第１走行部３６は、第２側壁部３５の下端部に設けられた第２走行部３７よりも奥行き方向の手前側に配置されている。
第２引出し部３の幅方向一方側の収納部分は、幅方向他方側の収納部分よりも奥行き方向に長く形成されているため、幅方向他方側の収納部分よりも大きい収納物を収納することができる。
【００５２】
第２引出し部３は、一対のレール５，５に沿って奥行き方向の手前側に移動することですることで、図２に示すように、前柵部３２が第１引出し部２の裏面収納部２３と近接した状態となり、一対のレール５，５に沿って奥行き方向の奥側に移動することですることで、図１４に示すように、前柵部３２が第１引出し部２の裏面収納部２３と離間した状態となることができる。
【００５３】
図２および図３に示すように、一対の第１レール４，４は、それぞれ奥行き方向に延在し、一方の第１レール４が引出し収納用空部１３の幅方向の一方側に設けられた側板１３１に固定され、他方の第１レール４が引出し収納用空部１３の幅方向の他方側に設けられた側板１３２に固定されている。一対の第１レール４，４は、それぞれ同じ長さに形成され、互いに奥行き方向に同じ位置となるように配置されている。
【００５４】
図３に示すように、一方の第１レール４は、上部に第１引出し部２の第１走行部２６が載置され、第１走行部２６が奥行き方向に移動可能に構成されている。他方の第１レール４は、上部には第１引出し部２の第２走行部２７が載置され第２走行部２７が奥行き方向に移動可能に構成されている。
一方の第１レール４に第１引出し部２の第１走行部２６が載置され、他方の第１レール４に第１引出し部２の第２走行部２７が載置された状態で第１引出し部２が奥行き方向に押し引きされることで、第１引出し部２が一対の第１レール４，４に沿って奥行き方向に移動可能に構成されている。
【００５５】
一対の第１レール４，４の奥行方向の手前側の端部には、それぞれストッパ（不図示）が設けられている。ストッパは、奥行き方向の手前側に最大に引き出された第１引出し部２の第１走行部２６および第２走行部２７がそれぞれ一対の第１レール４，４から奥行き方向の手前側に外れないように第１引出し部２の奥行方向の手前側への移動を停止するように構成されている。
【００５６】
図２および図３に示すように、一対の第２レール５，５は、それぞれ奥行き方向に延在し、一方の第２レール５が引出し収納用空部１３の幅方向の一方側に設けられた側板１３１に固定され、他方の第２レール５が引出し収納用空部１３の幅方向の他方側に設けられた側板１３２に固定されている。一対の第２レール５，５は、それぞれ同じ長さに形成されている。本実施形態では、第１側壁部３４の下端部に設けられた第１走行部３６は、第２側壁部３５の下端部に設けられた第２走行部３７よりも奥行き方向の手前側に配置されている。このため、第１走行部３６と第２走行部３７の位置関係に対応させて、幅方向一方となる一方の第２レール５が幅方向の他方側となる他方の第２レール５よりも奥行き方向の手前側に配置されている。
【００５７】
図３に示すように、一対の第２レール５，５は、一対の第１レール４，４の上側に設けられている。
一方の第２レール５に第２引出し部３の第１走行部３６が載置され、他方の第２レール５に第２引出し部３の第２走行部３７が載置された状態で第２引出し部３が奥行き方向に押し引きされることで、第２引出し部３が一対の第２レール５，５に沿って奥行き方向に移動可能に構成されている。
【００５８】
一対の第２レール５，５の奥行方向の手前側の端部には、それぞれストッパ（不図示）が設けられている。ストッパは、奥行き方向の手前側に最大に引き出された第２引出し部３の第１走行部３６および第２走行部３７がそれぞれ一対の第２レール５，５から奥行き方向の手前側に外れないように第２引出し部３の奥行方向の手前側への移動を停止するように構成されている。
【００５９】
本実施形態では、一対の第１レール４，４は、一対の第２レール５，５よりも奥行き方向に長く形成され、第１引出し部２が奥行き方向に移動可能な寸法が、第２引出し部３が奥行き方向に移動可能な寸法よりも大きく設定されている。
【００６０】
図２に示すように、連結機構６は、第１引出し部２の第１立ち上がり部２４に取り付けられた第１連結部６１と、第２立ち上がり部２５に取り付けられた第２連結部６２と、を有している。
第１連結部６１は、第２引出し部３の第１側壁部３４の前板部３４５に奥行き方向の手前側から吸着可能に構成され、第２連結部６２は、第２引出し部３の第２側壁部３５の前板部３５５に奥行き方向の手前側から吸着可能に構成されている。
第１連結部６１と第２連結部６２とは、取り付けられる位置と、吸着する部材以外は同じ形態に形成されている。このため、第１連結部６１について説明し、第２連結部６２については説明を省略する。
【００６１】
図６、図７および図１５に示すように、第１連結部６１は、第１立ち上がり部２４に固定される固定部６３と、第２引出し部３の第１側壁部３４の前板部３４５（図２参照）に吸着可能な磁石６４と、磁石６４を固定部６３に係止する磁石押さえ部６５と、固定部６３に支持され第１立ち上がり部２４と第１側壁部３４とが連結した際の衝撃を吸収する衝撃吸収部６６と、を有している。
固定部６３は、本体部６３１と、本体部６３１と一体に設けられた一対の爪部６３２，６３２と、本体部６３１と一体に設けられた一対の円弧板部６３３，６３３、本体部６３１と一体に設けられた一対のばね部６３４，６３４と、本体部６３１に一体に設けられた磁石収容部６３５と、本体部６３１と一体に設けられた一対の磁石押さえ部係止部６３６，６３６と、を有している。固定部６３は、例えば弾性変形可能な所定の剛性を有する樹脂などで形成されている。
【００６２】
本体部６３１は、一対の爪部６３２，６３２とともに略円筒を形成する形状で、略円筒の軸線方向の一方側に一対の円弧板部６３３，６３３、および一対のばね部６３４，６３４が設けられ、他方側に磁石収容部６３５が設けられている。本体部６３１は、略円筒の軸線方向が奥行き方向となり、軸線方向の一方側が奥行き方向の手前側、他方側が奥行き方向の奥側となる向きで配置される。以下では、第１連結部６１が上記の向きに配置されているものとして説明する。
【００６３】
図７に示すように、本体部６３１には、一対の爪部６３２，６３２がそれぞれ配置される一対の第１空部６３１ａ，６３１ａと、一対の磁石押さえ部係止部６３６，６３６がそれぞれ配置される一対の第２空部６３１ｂ，６３１ｂと、衝撃吸収部６６を係止する一対の衝撃吸収部用凹部６３１ｃ，６３１ｃが形成されている。
【００６４】
一対の第１空部６３１ａ，６３１ａは、本体部６３１の周方向（本体部６３１の軸線回りの方向）に間隔をあけて配置されている。本実施形態では、一対の第１空部６３１ａ，６３１ａは、幅方向に対向するように配置されている。
一対の第２空部６３１ｂ，６３１ｂは、本体部６３１の周方向に間隔をあけて配置されている。本実施形態では、一対の第２空部６３１ｂ，６３１ｂは、上下方向に対向するように配置されている。一対の第１空部６３１ａ，６３１ａと、一対の第２空部６３１ｂ，６３１ｂとは、１つの第１空部６３１ａと第２空部６３１ｂとが本体部６３１の周方向に交互に並ぶように配置されている。
一対の衝撃吸収部用凹部６３１ｃ，６３１ｃは、本体部６３１の奥行方向の奥側に本体部６３１の周方向に間隔をあけて配置されている。本実施形態では、一対の衝撃吸収部用凹部６３１ｃ，６３１ｃは、幅方向に対向するように配置されている。一対の衝撃吸収部用凹部６３１ｃ，６３１ｃは、それぞれ奥行き方向の奥側に開口している。
【００６５】
図６および図７に示すように、一対の爪部６３２，６３２は、それぞれ奥行き方向の手前側の端部が本体部６３１と連続し、奥行き方向の奥側が本体部６３１と離間した状態で第１空部６３１ａの内側に配置されている。一対の爪部６３２，６３２には、奥行き方向の奥側に本体部６３１の外周面よりも本体部６３１の径方向（本体部６３１の軸線に直交する方向）の外側に突出する突出部６３２ａがそれぞれ形成されている。突出部６３２ａの奥行き方向の奥側の端面６３２ｂは、本体部６３１の軸線に直交する面に形成されている。
突出部６３２ａ，６３２ａそれぞれの奥行方向の手前側の外面（互いに離間する側の面）には、奥行き方向の手前側から奥側に向かって漸次互いに離間するように傾斜するテーパ面６３２ｃが形成されている。
【００６６】
一対の爪部６３２，６３２は、それぞれ奥行き方向の手前側が本体部６３１と接続された状態で、奥行き方向の奥側が本体部６３１の径方向に弾性変形可能に構成されている。一対の爪部６３２，６３２は、それぞれ本体部６３１の内側に向かって押されると、弾性変形して本体部６３１の内側に入り込むように構成されている。一対の爪部６３２，６３２は、所定の力で本体部６３１の内側に押し込まれることで、それぞれの突出部６３２ａが本体部６３１の外周面から外側にから突出しない状態となることができる。
【００６７】
図７および図１５に示すように、一対の円弧板部６３３，６３３は、それぞれ本体部６３１と同軸に配列され、互いの凹面を対向させるように配置されている。本実施形態では、一対の円弧板部６３３，６３３は、幅方向に対向するように配置されている。一対の円弧板部６３３，６３３のうちの幅方向の一方側の円弧板部６３３は、第１立ち上がり部２４の中板部２４７の第２孔部２４７ａに挿通可能な形状に形成され、幅方向の他方側の円弧板部６３３は、中板部２４７の第３孔部２４７ｂに挿通可能な形状に形成されている。
一対の円弧板部６３３，６３３には、それぞれ軸線方向の中間部に周方向に延びて径方向の外側に突出するリブ６３３ａ，６３３ａが形成されている。
【００６８】
一対のばね部６３４，６３４は、高さ方向に対向するように配置されている。一対の円弧板部６３３，６３３と、一対のばね部６３４，６３４とは、１つの円弧板部６３３と１つのばね部６３４とが本体部６３１の周方向に交互に並ぶように配置されている。
一対のばね部６３４，６３４は、それぞれ本体部６３１の奥行方向の手前側の縁部から奥行き方向の手前側に延びる平板状の第１板部６３４ａと、第１板部６３４ａの奥行方向の手前側の縁部から奥行き方向の手前側に向かって漸次径方向の外側に向かうように斜めに延びる平板状の第２板部６３４ｂと、を有している。第１板部６３４ａと第２板部６３４ｂとの境界部を屈曲部６３４ｃとする。
【００６９】
一対のばね部６３４，６３４は、それぞれ奥行き方向の手前側から奥側に向かって加力されると、屈曲部６３４ｃをさらに屈曲させるように弾性変形可能に構成されている。また、一対のばね部６３４，６３４は、それぞれ本体部６３１の径方向の外側から内側に向かって加力されると、軸線方向の奥側が本体部６３１と接続された状態で、軸線方向の手前側が径方向の内側（一対の円弧板部６３３，６３３の間）に入り込むように弾性変形可能に構成されている。
一対のばね部６３４，６３４は、一対の円弧板部６３３，６３３よりも奥行き方向の寸法が短く形成されている。
【００７０】
磁石収容部６３５は、本体部６３１の奥行方向の奥側の端部から奥行き方向の奥側に延びる円環部６３５ａと、円環部６３５ａの奥行方向の奥側の開口を閉塞する円板部６３５ｂと、を有している。磁石収容部６３５の外径は、本体部６３１よりも小径で、衝撃吸収部用凹部６３１ｃ，６３１ｃの内側に配置されている。
円環部６３５ａの内径は、奥行き方向の手前側が本体部６３１の内径と略同じ大きさで、奥行き方向奥側が本体部６３１の内径よりも小さくなっている。円環部６３５ａの内部のうちの奥行方向の奥側に磁石６４が配置され、奥行き方向の手前側に磁石押さえ部６５が配置されるように構成されている。
【００７１】
図１５に示すように、一対の磁石押さえ部係止部６３６，６３６は、それぞれ奥行き方向の手前側の端部が本体部６３１と連続し、奥行き方向の奥側が本体部６３１と離間した状態で第２空部６３１ｂの内側に配置されている。一対の磁石押さえ部係止部６３６，６３６には、奥行き方向の奥側に本体部６３１の内周面よりも本体部６３１の径方向の内側に突出する突出部６３６ａ，６３６ａがそれぞれ形成されている。突出部６３６ａ，６３６ａそれぞれの奥行き方向の奥側の端面６３６ｂは、本体部６３１の軸線に直交する面に形成されている。
突出部６３６ａ，６３６ａそれぞれの奥行方向の手前側の内面（互いに近接する側の面）には、奥行き方向の手前側から奥側に向かって漸次互いに近接するように傾斜するテーパ面６３６ｃが形成されている。
【００７２】
一対の磁石押さえ部係止部６３６，６３６は、それぞれ奥行き方向の手前側が本体部６３１と接続された状態で、奥行き方向の奥側が本体部６３１の径方向に弾性変形可能に構成されている。一対の磁石押さえ部係止部６３６，６３６は、それぞれ本体部６３１の外側に向かって押されると、弾性変形して本体部６３１の外側に移動するように構成されている。一対の磁石押さえ部係止部６３６，６３６は、所定の力で本体部６３１の外側に押し込まれることで、それぞれの突出部６３６ａが本体部６３１の内周面から内側に突出しない状態となることができる。
【００７３】
磁石６４は、本体部６３１の内径よりも小さい外径の円板状に形成され、磁石収容部６３５に奥行き方向の手前側から入れられるように構成されている。本実施形態では、磁石６４は、本体部６３１の内側を通って磁石収容部６３５の円環部６３５ａの奥行方向の奥側に入れられる。なお、磁石６４の吸着力は、磁石収容部６３５の外側に及ぶように設計されている。
【００７４】
磁石押さえ部６５は、本体部６３１の内径と略同じで磁石６４よりも大径の円板状に形成され、磁石収容部６３５に奥行き方向の手前側から入れられるように構成されている。本実施形態では、磁石押さえ部６５は、磁石収容部６３５の円環部６３５ａの奥行方向の奥側に磁石６４が入れられた後に、本体部６３１の内側を通って磁石収容部６３５の円環部６３５ａの奥行方向の手前側に入れられる。
【００７５】
本体部６３１の内側を通る磁石押さえ部６５は、磁石押さえ部係止部６３６，６３６をテーパ面６３６ｃに沿って奥行き方向の奥側に移動すると、磁石押さえ部係止部６３６，６３６を互いに離間するように外側に押しながら移動して、磁石押さえ部係止部６３６，６３６よりも奥行き方向の奥側の磁石収容部６３５に到達する。磁石押さえ部６５が磁石収容部６３５に到達すると、磁石押さえ部６５が磁石押さえ部係止部６３６，６３６のテーパ面６３６ｃと離間するため、磁石押さえ部係止部６３６，６３６が復元して突出部６３６ａが本体部６３１の内周面よりも内側に突出した状態となり、磁石押さえ部係止部６３６，６３６の奥行き方向の奥側の端面６３６ｂが磁石押さえ部６５に奥行き方向の手前側から当接する。これにより、磁石押さえ部６５が本体部６３１の内部に移動することがないため、磁石６４の位置が固定されている。
【００７６】
図７および図１５に示すように、衝撃吸収部６６は、ゴムなどの弾性体で形成されている。衝撃吸収部６６は、円環状の円環部６６１と、円環部６６１から軸線方向の一方側に突出する一対の被係止部６６２，６６２と、円環部６６１から軸線方向の他方側に突出する複数の突出部６６３，６６３…と、を有している。一対の被係止部６６２，６６２は、円環部の周方向に間隔をあけて配列されている。複数の突出部６６３，６６３…は、円環部の周方向に間隔をあけて配列されている。
【００７７】
衝撃吸収部６６は、軸線方向が奥行き方向となり、一対の被係止部６６２，６６２が幅方向に対向する向きで、円環部６６１が磁石収容部６３５を囲繞し、一対の被係止部６６２，６６２がそれぞれ衝撃吸収部用凹部６３１ｃ，６３１ｃに奥行き方向の奥側から嵌合して配置される。このように衝撃吸収部６６が配置されると、円環部６６１の奥行方向の奥側の端面が磁石収容部６３５の奥行方向の奥側の端面と略面一となるように配置され、複数の突出部６６３，６６３…が磁石収容部６３５の奥行方向の奥側の端面よりも奥行き方向の奥側に突出している。
【００７８】
第１連結部６１を第１立ち上がり部２４に取り付ける方法について説明する。
まず、第１連結部６１の一対のばね部６３４，６３４をそれぞれ径方向の内側に押して弾性変形させ、一対の円弧板部６３３，６３３および一対のばね部６３４，６３４を、第１立ち上がり部２４の後板部２４６の第１孔部２４６ａに奥行き方向の奥側から挿入する。一対の円弧板部６３３，６３３および一対のばね部６３４，６３４の位置が第１立ち上がり部２４の後板部２４６よりも奥行き方向の手前側となったら、一対のばね部６３４，６３４の押圧をやめる。
【００７９】
一対の円弧板部６３３，６３３が第１立ち上がり部２４の中板部２４７に到達したら、一対の円弧板部６３３，６３３を中板部２４７の第２孔部２４７ａおよび第３孔部２４７ｂに挿入する。このとき、一対の円弧板部６３３，６３３それぞれに設けられたリブ６３３ａ，６３３ａは、第２孔部２４７ａおよび第３孔部２４７ｂを通過できない形状に形成されていて、第１連結部材６１が奥行き方向の手前側に行きすぎないように構成されている。
第１連結部６１を一対の円弧板部６３３，６３３が中板部２４７の第２孔部２４７ａおよび第３孔部２４７ｂに挿入された状態で、さらに奥行き方向の手前側に移動させて、一対のばね部６３４，６３４の奥行方向の手前側の端部を中板部２４７の奥行方向の奥側の面と当接させる。この状態で、第１連結部６１をさらに奥行き方向の手前側に移動させると、一対のばね部６３４，６３４が中板部２４７と当たって屈曲部６３４ｃがさらに屈曲するように弾性変形する。
【００８０】
第１連結部６１を奥行き方向の手前側に移動させて、本体部６３１を第１立ち上がり部２４の後板部２４６の第１孔部２４６ａに挿通させる際には、一対の爪部６３２，６３２をそれぞれ内側に押して、本体部６３１の外周面から突出していない形態とする。一対の爪部６３２，６３２には、テーパ面６３２ｃが形成されているため、テーパ面６３２ｃが第１孔部２４６ａに当接した状態で第１連結部６１を奥行き方向の手前側に押すことで、爪部６３２，６３２が内側に押されることになる。
爪部６３２，６３２が後板部２４６の第１孔部２４６ａを通過すると、爪部６３２，６３２は復元されて第１孔部の外側において後板部２４６の奥行方向の手前側に配置され、第１連結部６１が奥行き方向の奥側に移動することが拘束される。また、一対のばね部６３４，６３４が中板部２４７から反力を受けるため、第１連結部６１が奥行き方向の奥側に押圧されて、爪部６３２，６３２の端面が後板部２４６の奥行方向の手前側の面と当接した状態となる。これにより、第１連結部６１の位置が固定される。
【００８１】
このように第１連結部６１が固定されると、磁石収容部６３５および衝撃吸収部が、後板部２４６よりも奥行き方向の奥側に突出した状態で配置される。
このようにして第１連結部が第１立ち上がり部２４に固定される。
なお、第２連結部６２についても第１連結部６１が第１立ち上がり部２４に固定されるのと同様に第２立ち上がり部２５に固定される。
【００８２】
このような連結機構６は、第１引出し部２に固定された状態で、第２引出し部３に近接すると、連結機構６の第１連結部６１の磁石６４が第２引出し部３の第１側壁部３４の前板部３４５と吸着され、第２連結部６２の磁石６４が第２引出し部３の第２側壁部３５の前板部３４５と着される。このように、第１連結部６１が第１側壁部３４と吸着し、第２連結部６２が第２側壁部３５と吸着することで、第１引出し部２と第２引出し部３とが連結されて連動可能となる。
【００８３】
本実施形態では、衝撃吸収部６６の複数の突出部６６３，６６３…が磁石収容部６３５の奥行方向の奥側の端面よりも奥行き方向の奥側に突出しているため、第１連結部６１の磁石６４が第２引出し部３の第１側壁部３４の前板部３４５と吸着されると、複数の突出部６６３，６６３…が第１側壁部３４の前板部３４５と当接し、磁石収容部６３５と第１側壁部３４の前板部３４５との間にはわずかな隙間が形成される。また、第２連結部６２の磁石６４が第２引出し部３の第２側壁部３５の前板部３４５と吸着されると、複数の突出部６６３，６６３…が第２側壁部３５の前板部３４５と当接し、磁石収容部６３５と第２側壁部３５の前板部３５５との間にはわずかな隙間が形成される。
このため、第１引出し部２と第２引出し部３とが連結した際には、ゴムなどの弾性体で形成された衝撃吸収部６６が第１側壁部３４の前板部３４５および第２側壁部３５の前板部３５５と当接するだけである。このため、第１引出し部２と第２引出し部３との連結の際の衝撃や音を抑えることができる。
【００８４】
第１引出し部２と第２引出し部３とが連結されると、第１引出し部２の第１立ち上がり部２４と、第２引出し部３の第１側壁部３４とが奥行き方向に連続し、第１引出し部２の第２立ち上がり部２５と、第２引出し部３の第２側壁部３５とが奥行き方向に連続する。本実施形態では、それぞれの上板部どうし、外板部どうし、内板部どうしが連続する。
また、第１引出し部２と第２引出し部３とが連結されると、第１引出し部２の裏面収納部２３の奥行方向の奥側の縁部（第１〜第４収納ボックスの奥行方向の奥側の縁部）が第２引出し部３の前柵部３２とが互いに沿った状態となる。本実施形態では、第１引出し部２と第２引出し部３とが連結されると、前柵部３２の斜め前柵部３２ａが、裏面収納部２３の第４収納ボックス２３４の斜め後板部２３４ｋと対向し、前柵部３２の第１前柵部３２ｂが、裏面収納部２３の第１〜第３収納ボックス２３１〜２３３の後板部２３１ｃおよび第４収納ボックス２３４の第１後板部２３４ｌと対向し、前柵部３２の第２前柵部３２ｃが第４収納ボックス２３４の第２後板部２３４ｍと近接した状態で対向する。
【００８５】
また、本実施形態では、第１引出し部２と第２引出し部３とが連動して奥行き方向の手前側に移動すると、第１引出し部２が一対の１レール４，４それぞれのストッパと当たるよりも先に、第２引出し部３が一対の第２レール５，５それぞれのストッパにあたることになり、第２引出し部３の方が奥行き方向の手前側への移動が拘束される。このため、第２引出し部３の奥行き方向の手前側への移動が拘束された後に、第１引出し部２がさらに奥行き方向の手前側へ引き出されると、連結機構６が第２引出し部３から離れて第１引出し部２と第２引出し部３とが離間した状態となる。
【００８６】
次に、上述した引出し収納の作用・効果について図面を用いて説明する。
上述した引出し収納１では、裏面収納部２３よりも上方に延びる第１立ち上がり部２４および第２立ち上がり部２５を有することにより、裏面収納部２３に収納された収納物が側方に傾いて、収納物の上部側が引出し収納１よりも幅方向の側方にはみ出してしまうことを防止できる。このため、裏面収納部２３に収納された収納物が引出し収納１から幅方向の側方にはみ出すことによってキッチン台１１と引出し収納前板２１との間に挟まれることを防止できる。
また、第１立ち上がり部２４および第２立ち上がり部２５が設けられることによって、裏面収納部２３（収納ボックス２３１〜２３４）を深い形状としなくても裏面収納部２３に収納された収納物が側方に傾くことがない。このため、裏面収納部２３を深い形状とする場合と比べて、裏面収納部２３の製造が容易であるとともに、裏面収納部２３の清掃を容易に行うことができる。
【００８７】
また、第２引出し部３に第１側壁部３４および第２側壁部３５が設けられていることにより、第２引出し部３に収容された収納物が幅方向の側方にはみ出してしまうことを防止できる。第１引出し部２と第２引出し部３とが近接すると、第１立ち上がり部２４と第１側壁部３４とが連続し、第２立ち上がり部２５と第２側壁部３５とが連続することにより、引出し収納１の意匠性を向上させることができる。
さらに、本実施形態では、第１立ち上がり部２４の収納物が収納される側の面（２４４内板部２４４の幅方向の他方側の面２４４ｂ）と第１側壁部３４の収納物が収納される側の面（内板部３４４の幅方向の他方側の面３４４ｂ）とが連続し、第２立ち上がり部２５の収納物が収納される側の面（内板部２４４の幅方向の一方側の面２４４ｂ）と第２側壁部３５の収納物が収納される側の面（内板部３４４の幅方向の一方側の面３４４ｂ）とが連続することにより、意匠性を更に向上させることができるとともに、これらの面の清掃を連続して容易に行うことができる。
【００８８】
また、第１引出し部２と第２引出し部３とを連結させる連結機構６の第１連結部６１が第１立ち上がり部２４の内部に設けられ、第２連結部６２が第２立ち上がり部２５の内部に設けられていることにより、連結機構６の露出が抑えられるため、意匠性を向上させることができるとともに、連結機構６に使用者や収納物が引っ掛かることを防止できる。
【００８９】
以上、本発明による引出し収納の実施形態について説明したが、本発明は上記の実施形態に限定されるものではなく、その趣旨を逸脱しない範囲で適宜変更可能である。
例えば、上記の実施形態では、引出し収納１には、第１引出し部２と第２引出し部３とが設けられているが、第２引出し部３が設けられておらず、第１引出し部２のみで構成されていてもよい。また、第２引出し部３の形状は上記以外でもよい。
また、上記の実施形態では、第２引出し部３に第１側壁部３４および第２側壁部３５が設けられているが、設けられていなくてもよい。また、第１側壁部３４が第１立ち上がり部２４と連続し、第２側壁部３５が第２立ち上がり部２５と連続するように設けられていなくてもよい。
【００９０】
また、第１立ち上がり部２４は、裏面収納部２３の幅方向の一方側に設けられて、裏面収納部２３よりも上側に突出し、裏面収納部２３に収納された収納物が引出し収納１からはみ出さないように押さえることができれば、上記以外の形態であってもよい。同様に、第２立ち上がり部２５は、裏面収納部２３の幅方向の他方側に設けられて、裏面収納部２３よりも上側に突出し、裏面収納部２３に収納された収納物が引出し収納１からはみ出さないように押さえることができれば、上記以外の形態であってもよい。また、第１立ち上がり部２４および第２立ち上がり部２５の少なくとも一方が設けられていてもよい。
【００９１】
また、上記の実施形態では、第１引出し部２と第２引出し部３とを連結させる連結機構６が設けられているが、連結機構６が設けられていなくてもよい。また、連結機構６の形態は上記以外であってもよい。また、連結機構６が設けられている場合は、連結機構６は第１立ち上がり部２４および第２立ち上がり部２５の内部以外に設けられていてもよい。
また、上記の実施形態では、第１立ち上がり部２４の内部に設けられた連結機構６の第１連結部６１が第１側壁部３４と吸着して接触することで第１側壁部３４と第１立ち上がり部２４とが連続するように構成されているが、第１連結部６１が第１側壁部３４と隙間を介した状態で連結することで第１側壁部３４と第１立ち上がり部２４とが連続するように構成されていてもよい。同様に、上記の実施形態では、第２立ち上がり部２５の内部に設けられた連結機構６の第２連結部６２が第２側壁部３５と吸着して接触することで第２側壁部３５と第２立ち上がり部２５とが連続するように構成されているが、第２連結部６２が第２側壁部３５と隙間を介した状態で連結することで第２側壁部３５と第２立ち上がり部２５とが連続するように構成されていてもよい。
【００９２】
また、上記の実施形態では、裏面収納部２３の第４収納ボックス２３４の奥行き方向の寸法が第１〜第３収納ボックス２３１〜２３３の奥行方向の寸法よりも大きく設定されているが、第１〜第４収納ボックス２３１〜２３４の寸法が適宜設定されてよい。また、裏面収納部２３に設けられる収納ボックスの数は適宜設定されてよい。また、裏面収納部２３は、第１引出し部２に着脱可能な収納ボックス２３１〜２３４を有する形態以外に、第１引出し部に固定された部材で形成されていてもよい。
【００９３】
また、上記の実施形態では、引出し収納１は、キッチン台１１のシンク１２の下側に配置されているが、コンロの下側やシンク１２やコンロが設けられていない作業スペースの下側に設けられていてもよい。引出し収納１の形態は、設置されるスペースに合せて適宜設定されてよい。
【符号の説明】
【００９４】
１  引出し収納
２  第１引出し部
３  第２引出し部
６  連結機構
１３  引出し収納用空部
２１  引出し収納前板（前板）
２３  裏面収納部
２４  第１立ち上がり部（立ち上がり部）
２５  第２立ち上がり部（立ち上がり部）
２８  収納部
２４４ｂ  面（立ち上がり部における収納物が収納される側の面）
３４４ｂ  面（側壁部における収納物が収納される側の面）
【図１】
2018094315.tif 000003
【図２】
2018094315.tif 000004
【図３】
2018094315.tif 000005
【図４】
2018094315.tif 000006
【図５】
2018094315.tif 000007
【図６】
2018094315.tif 000008
【図７】
2018094315.tif 000009
【図８】
2018094315.tif 000010
【図９】
2018094315.tif 000011
【図１０】
2018094315.tif 000012
【図１１】
2018094315.tif 000013
【図１２】
2018094315.tif 000014
【図１３】
2018094315.tif 000015
【図１４】
2018094315.tif 000016
【図１５】
2018094315.tif 000017